(57)【要約】【課題】  従来のカードは、ゲーム中に手札として複数枚を集めて手持ちにする場合、それらのカードをずらせて手持ちにされると、カードの各コーナのインデックスが全て見え、不正者が不正行為を目的にチーティング（盗み見）が行われたとき、手持ちカードが全て第三者に知られてしまうという問題があった。本発明は、カードゲームでのこのような盗み見の不正行為を防止することが可能なプレイングカードを提供することを目的とする。【解決手段】  本発明のプレイングカード１は、カードのランクを表す数値を示すインデックス２を、カード１の左上および右下のみに有するカード１ａと、カード１の右上および左下のみに有するカード１ｂと、の２種類のカードから、５２枚の１デッキのプレイングカードを構成するようにしている。【選択図】図１
2013132550.tif 000002
【特許請求の範囲】
【請求項１】
少なくともカードのランクを表す数値を示すインデックスをカードの左上および右下のみに有するカード群である第１のグループと、前記インデックスをカードの右上および左下のみに有するカード群である第２のグループと、から１デッキもしくは複数デッキを構成し、少なくとも前記ランクが同一である複数枚のカードが前記二つグループに分かれて属するようにした、プレイングカード。
【請求項２】
少なくともカードのランクを表す数値を示すインデックスをカードの左上および右下のみに有するカード群である第１のグループと、前記インデックスをカードの右上および左下のみに有するカード群である第２のグループと、から１デッキもしくは複数デッキを構成し、少なくとも前記ランクが同一である複数枚のカードが前記二つグループに分かれて属するようにした、プレイングカードと、
前記プレイングカードの検査装置と、
からなり、
前記検査装置は、前記インデックスをカードの左上および右下のみに有するカード群である第１のグループを構成する各カードのスートおよびランクを記憶するとともに、前記インデックスをカードの右上および左下のみに有するカード群である第２のグループを構成する各カードのスートおよびランクを記憶するメモリと、
前記カードの左上もしくは右下の画像を取得する第１カメラと、前記カードの右上もしくは左下の画像を取得する第２カメラと、を備え、前記インデックスが無いこと、あるいはインデックスの情報を取得する検出装置と、
前記メモリの記憶情報を用いて、前記検出装置が読み取った各カードのインデックスの実際の位置と各カードのインデックスの在るべき所定位置とを比較し判定する判定装置と、
前記判定装置の判定結果を出力する出力手段と、から構成されるシステム。
【発明の詳細な説明】
【技術分野】
【０００１】  本発明は、カードゲームにおける不正を防止することができる機能を備えたプレイングカードおよびプレイングカードのシステムに関する。
【背景技術】
【０００２】  カードゲームに使用するプレイングカードは、例えば国際公開ＷＯ９９／４４７０１（特表２００１−５２３１５１、図１参照）に開示されている。同文献では、カードが属する組を示す組印（以下「スート」と記す。）および数値（以下「ランク」と記す。）が、印刷等によりカードの表面に設けられている。通常ランクは４種あるスートをランクに対応する数だけ（６であれば６個）スートを表すマークを表面に印刷してランクが表示される。また、現在では各カードのスートとランクが判別し易いようにカードの左上と右下、あるいは全ての表面のコーナにインデックスと呼ばれる各カードのスートとランクが印刷されている。
【先行技術文献】
【０００３】
【特許文献１】  特表２００１−５２３１５１号
【発明の概要】
【発明が解決しようとする課題】
【０００４】  従来のカードは、ゲーム中に手札として複数枚を集めて手持ちにする場合、図４に示すように、それらのカードをずらせて手持ちされる。この場合には、コーナの各インデックスが全て見える。このような手持ちカードは、不正者が不正行為を目的にチーティング（盗み見）が行われたとき、手持ちカードが全て第三者に知られてしまう。
また、カジノ等ではゲームが開始される前に１デッキあるいは複数デッキのカードが不正防止のため、その並び順を変更する行為（リッフルあるいはシャッフルされる）が行われる。通常カードの並び順を変更する場合、カードのコーナがディーラーにより一部がめくられてカードの表面のインデックスが見える場合等がある。しかし、このようなカードの表面のインデックスが見える場合、小型カメラ等の使用で不正行為が行われる可能性を秘めていることは、否定できず問題となる可能性がある。【０００５】  本発明は上記背景の下でなされたものであり、その目的は、カードゲームでの不正行為を防止することが可能なプレイングカードを提供することにある。また、さらには不正防止の可能なプレイングカードを検査する際に適した検査装置を備えたシステムを提供することにある。
【課題を解決するための手段】
【０００６】  前記従来の課題を解決するために、本発明のプレイングカードは、少なくともカードのランクを表す数値を示すインデックスをカードの左上および右下のみに有するカード群である第１のグループと、インデックスをカードの右上および左下のみに有するカード群である第２のグループと、から１デッキもしくは複数デッキを構成し、少なくともランクが同一である複数枚のカードが前記二つグループに分かれて属するようにした、構成を有する。【０００７】  また、前記従来の課題を解決するために、本発明のシステムは、少なくともカードのランクを表す数値を示すインデックスをカードの左上および右下のみに有するカード群である第１のグループと、前記インデックスをカードの右上および左下のみに有するカード群である第２のグループと、から１デッキもしくは複数デッキを構成し、少なくとも前記ランクが同一である複数枚のカードが前記二つグループに分かれて属するようにした、プレイングカードと、プレイングカードの検査装置と、からなり、検査装置は、インデックスをカードの左上および右下のみに有するカード群である第１のグループを構成する各カードのスートおよびランクを記憶するとともに、インデックスをカードの右上および左下のみに有するカード群である第２のグループを構成する各カードのスートおよびランクを記憶するメモリと、カードの左上もしくは右下の画像を取得する第１カメラと、カードの右上もしくは左下の画像を取得する第２カメラと、を備え、インデックスが所定の位置（カードの左上もしくは右下、あるいは右上および左下）に無いことあるいは存在するインデックスの情報を取得する検出装置と、メモリの記憶情報を用いて、検出装置が読み取った各カードのインデックスの実際の位置と各カードのインデックスの在るべき所定位置とを比較し判定する判定装置と、判定装置の判定結果を出力する出力手段と、から構成される。
【発明の効果】
【０００８】  本発明のプレイングカードによれば、各カードのインデックスを盗み見しても全てのカードのインデックスを一度に見ることが出来ないので、ゲームでの不正行為を防止できる。
【図面の簡単な説明】
【０００９】
【図１】  （ａ）本発明の実施の形態１におけるプレイングカードの手持ち状態の概要を示した説明図、（ｂ）プレイングカードを横に並べた状態を示した一部破断概要図。
【図２】  （ａ）本発明の実施の形態１における数値を示すインデックスを、カードの左上および右下のみに有するカードの平面図、（ｂ）同インデックスをカードの右上および左下のみに有するカードの平面図。
【図３】  本発明の実施の形態１におけるカードの検査装置の正面図。
【図４】  従来のプレイングカードの手持ち状態の構成図。
【発明を実施するための形態】
【００１０】  以下に、本発明プレイングカードの実施の形態１を詳細に説明する。
図１は、本発明の実施の形態１におけるプレイングカードの手持ち状態概要を示した説明図であり、図２（ａ）は同実施の形態１における数値を示すインデックスを、カードの左上および右下のみに有するカードの平面図、（ｂ）同インデックスをカードの右上および左下のみに有するカードの平面図である。
【００１１】  本実施の形態１のプレイングカード１は、カードのランクを表す数値を示すインデックス２を、カード１の左上および右下のみに有するカード１ａとカード１の右上および左下のみに有するカード１ｂと、の２種類のカードから、５２枚の１デッキのプレイングカードを構成するようにしている。これは、例えばスーツの内ハートとクラブでは、エース、２、３および絵札（Ｊ、Ｑ、Ｋ）であるジャック、クイーン、キングのカードがカード１の左上および右下のみにインデックスを有するカード１ａとなっている。そしてハートとクラブのうち、ランクで４から１０までのカード１は、カード１の右上および左下のみにインデックスを有するカード１ｂにより構成される。逆に、スーツの内ダイヤとスペードでは、エース、２，３および絵札（ジャック、クイーン、キング）のカード１が右上および左下のみにインデックスを有するカード１ｂにより構成される。ダイヤとスペードのランクで４から１０までのカード１は、カード１の左上および右下のみにインデックスを有するカード１ａとなっている。
【００１２】  以上のカードの１セット（１デッキ）あるいはこれらのカードを例えば８デッキをそろえて１セットとする。このようなプレイングカードにおいては、少なくともランクが同一である複数枚のカードであっても、例えばエース、２，３および絵札（ジャック、クイーン、キング）のカードにおいて、各４枚の内、ハートおよびクラブでは、カード１の左上および右下のみにインデックスを有するカード１ａで構成される一方、ダイヤとスペードにおいては、右上および左下のみにインデックスを有するカード１ｂにより構成されることとなる。このように、少なくとも前記ランクが同一である複数枚のカードが、二つグループ１ａと１ｂに分かれて属する。
【００１３】  このようにインデックス位置の異なる二つグループからなるカードのデッキでは、ゲームにおいて例えば配られた手持ちのカード１を広げると図１のような見え方で展開される。図１において５枚のカードが手持ちにされているが、そのうち２枚のカードはインデックスが隠れて見えないので、例えばポーカーゲームであっても５枚のカードがどのようなハンド（手役）かは一見しただけでは知ることができない。これにより第三者によるゲームでの不正行為を防止できる。
【００１４】  また、カード１がゲーム前に何らかの状態で並んだ状態で不正にその並び順が読まれようとしても、例えば図３に示すように、インデックス２が一方に角（コーナー）に現れないこととなり、全てのカード１の配列が読み取られることはない。このためカジノ等においても不正行為を防止できる。
【００１５】  （カード検査装置）
図４は、本発明の実施の形態におけるシステムのカード検査装置５１の説明図である。本カード検査装置５１では、インデックス２をカード１の左上および右下のみに有するカード群１ａ、およびインデックス２をカード１の右上および左下のみに有するカード群１ｂとの２つのグループからなる５２枚の１デッキもしくは複数デッキ（８デッキであれば４１６枚）を検査することができる。カード検査装置５１は、複数のカード１（例えば１デッキ分のカード）をそれぞれ保持するカードストッカ５２と、このカードストッカ５２からカード１を繰り出す繰出しローラ５３と、繰出しローラ５３により繰出されるカード１を送り出す２組の搬送ローラ５４、５５を備えている。２組の搬送ローラ５４、５５の間には、２つのカメラ５６、５７（ＣＣＤカメラ等）が設置されている。検出装置５８は、画像認識装置を備え、カードの左上もしくは右下の画像を取得する第１カメラ５６と、カードの右上もしくは左下の画像を取得する第２カメラ５７とに接続されている。第１カメラ５６は本実施の形態の場合、カードの左上のエリアＡ（図２（ａ）に示す）を撮像し、第２カメラ５７はカードの右上のエリアＢ（図２（ａ）に示す）を撮像するよう配置している。第１カメラ５６は、カードの左上のエリアＡを撮像し、インデックス２があればそれを撮像し、無い場合には無いことを認識する。また第２カメラ５７はカードの右上のエリアＢを撮像し、インデックス２があればそれを撮像し、無い場合には無いことを認識する。検出装置５８は、２つのカメラ５６、５７の２つの画像を分析して、インデックス２が撮像されている方のインデックス２の情報を採用し各ランク、スーツの値内容を得ると共に、インデックス２がどちらの位置（カードの左上あるいは右上）にあるか、もしくはどちらに無いかを検出確認する。
【００１６】  この検査装置５１には、メモリ５９と、検出装置５８から情報を得る画像解析判定装置６０を備えた制御装置６１が設けられている。制御装置６１のメモリ５９では、インデックス２をカードの左上および右下のみに有するカード群である第１のグループを構成する各カードのスートおよびランクを予め記憶するとともに、インデックス２をカードの右上および左下のみに有するカード群である第２のグループを構成する各カードのスートおよびランクを予め記憶する。画像解析判定装置６０では、カード１の表側のインデックス２の印刷位置（左上か右下にインデックス２があるのか、右上か左下にンデックス２があるのか）を判別し、同時に各カードのスート（種類）やランク（数）の読み取り結果によりカード１を検査する。画像解析判定装置６０においては、予め情報が図示しない入力手段によりメモリ５９に対して設定もしくは記憶される。予め設定もしくは記憶される内容としては、インデックス２をカード１の左上および右下のみに有するカード群１ａである第１のグループを構成する各カードのスートおよびランクを全て記憶するとともに、カード１の右上および左下のみに有するカード群１ｂを構成する第２のカードグループに属する各カードのスートおよびランクをすべて記憶する。
【００１７】  画像解析判定装置６０は、搬送ローラ５４，５５により一枚毎に送り出される各カード１のインデックス２の情報およびそのインデックス２がどのコーナ（左上か右上か）に印刷されているかを実際に検出し、メモリ５９により記憶された情報と比較し、カード１のインデックス２の情報とそのインデックス２が予め決められた所定のコーナ（左上かもしくは右上か）に印刷されているかを検査し予め設定した正しい位置に印刷がされているかを判定する。すなわち、読み取った各カード１のインデックス２の実際の位置と、メモリ５９により記憶された各カードのインデックスの在るべき所定の位置とを比較し、これらが一致するか否かを画像解析判定装置６０により判定する。判定装置としての画像解析判定装置６０の判定結果は出力手段６２により例えばランプ等に表示され、さらに外部の主監視装置やカジノの監視部門に伝送される。
【００１８】  判定装置としての画像解析判定装置６０の出力は、カードの振分け装置６３に接続されており、各カードのインデックス２が在るべき所定の位置にある場合と、無い場合（不良と判定）との判定結果に基づき、正規のカード１を下の正規カード受け６４に振り分ける。インデックス２が在るべき所定の位置（正規の位置）に印刷されていない場合には、不良カード受け６５にカード１が振り分けられる。
【００１９】  画像解析判定装置６０には別のカメラ６６が接続され、カード１の裏柄が正しく印刷されているか否か、あるいは傷の有無等のカードの状態やその他の汚れなどの品質不良も検査する。不良カードは不良カード受け６５に振り分けられる。
【００２０】  以上、本発明の実施の形態を説明したが、上述の実施の形態は、本発明の範囲内で当業者により変形可能なことはもちろんである。例えば、各カードのインデックス２をどちらの位置（カードの左上もしくは右下、あるいは右上および左下）に設定するか、もしくは各カード群のグループをどのスーツやランクのカードに振り分けるかなど、またゲームの種類に応じてカードのインデックスの位置も適切に変形してよい。また、本発明システムは、不正を防止できるプレイングカードの、工場内での検査システム、また、カジノでのバックヤードでのプレイングカードの検査、あるいはテーブルゲームにおけるゲーム開始前のカードの検査などに応用可能である。
【図１】
2013132550.tif 000003
【図２】
2013132550.tif 000004
【図３】
2013132550.tif 000005
【図４】
2013132550.tif 000006